(57)【要約】      （修正有）【課題】牡蠣の成長が阻害されることを抑制可能であり、また取り入れ作業も容易であり、更には牡蠣が落下してしまうことを抑制可能な牡蠣養殖用ホルダーを提供する。【解決手段】牡蠣養殖用ホルダー１００は、弾性を備えた金属製或いは弾性を備えた樹脂製の線材を中央部１０１で折り曲げたこと、当該折り曲げた部位から片側に伸びると共に先端が鋭角状の膨出部１０４を設けたこと、該線材の両端部１０３を略直角に立ち上がる方向に折り曲げることで係止部１０２を設けたことを特徴とする。【選択図】図１
0003234567.tif 000002
【実用新案登録請求の範囲】
【請求項１】
金属製或いは樹脂製の線材を中央部で折り曲げたこと、
当該折り曲げた部位から片側に伸びると共に先端が鋭角状の膨出部を設けたこと、
該線材の両端部を略直角に立ち上がる方向に折り曲げることで係止部を設けたこと、
を特徴とする牡蠣養殖用ホルダー。
【請求項２】
膨出部を、折り曲げた部位から両側に設けたことを特徴とする請求項１に記載の牡蠣養殖用ホルダー。
【請求項３】
板材の一方端から、その先端が鋭角状になるを膨出部を片側に設けたこと、
板材の他端から略直角に立ち上がる棒状の係止部を一対設けたこと、
を特徴とする牡蠣養殖用ホルダー。
【請求項４】
膨出部を両側に設けたことを特徴とする請求項３に記載の牡蠣養殖用ホルダー。
【考案の詳細な説明】
【技術分野】
【０００１】
本考案はシングルシード式牡蠣養殖法に適した、牡蠣養殖用ホルダーに関する。
【背景技術】
【０００２】
従来の日本での牡蠣養殖は、カルチと呼ばれるホタテや牡蠣の貝殻を海に垂らし、カルチに付着した種牡蠣をそのまま育てる方法が一般的であった。これは日本では剥き身での販売が主であり、牡蠣の見た目や大きさのバラつきは問題になることは稀であったことによる。
【０００３】
しかし、昨今オイスターバーなどで牡蠣を生食することが多く、牡蠣は殻付きで提供される場合も多いことから、見た目の美しさも要求される事態となっている。
【０００４】
そこで、種牡蠣を付着対象のカルチ等から剥がし、大きさごとに選別し、専用の養殖カゴの中で養殖する、いわゆるシングルシード式牡蠣養殖法が広く行われ始めている。かかる方法によれば、形と大きさが整ったブランド牡蠣が生産可能であるからである。
【０００５】
このシングルシード式養殖法はカルチでの養殖に比べると、餌となるプランクトンがむらなく牡蠣に回るため、牡蠣の生育が安定し、歩留まりが良いという利点もある。
【０００６】
特許文献１には、シングルシード式牡蠣養殖法に用いられる養殖かごが開示されている。該文献に記載される牡蠣養殖カゴは、上端及び下端の一方あるいは双方に開閉自在な開口部を備えカゴ体と、カゴ体の中央部に取付けられる浮揚体とにより成るものである。
【０００７】
特許文献２には、線材で牡蠣を挟んで形態でシングルシード式養殖を行うことを特徴とする、牡蠣養殖用ホルダーが開示されている。
【先行技術文献】
【特許文献】
【０００８】
【特許文献１】登録実用新案公報第３１９８４１４号
【特許文献２】登録実用新案公報第３２２７０１９号
【考案の開示】
【考案が解決しようとする課題】
【０００９】
シングルシード方式は、牡蠣を入れたカゴのメンテナンスなどで一般的にカルチ養殖よりも手間がかかる。具体的には養殖かごの網目に海藻や貝などが付着すると、海水がかごの中を流れにくくなり、その結果プランクトンがカゴの中に流入しづらく、養殖牡蠣の成長が悪くなるなることに繋がる。そこで網目に付着した海藻や貝をはぎ取ったり、あるいは別の養殖かごに牡蠣を移す作業が必要となるのである。
【００１０】
また、牡蠣はセメント質を出しながら成長するが、養殖かごの中に複数の牡蠣を入れておくと、隣接する牡蠣がそれぞれが出すセメント質によって一体化してしまい、呼吸困難になり成長が阻害されたり、最悪死んでしまうこともある。
【００１１】
シングルシード方式の牡蠣養殖法としては、専用の養殖かごに入れるのではなく、セメント系接着剤を用いてロープの一箇所に牡蠣を２〜３個固着して、海中につるすという方法がとられることもある。しかしこの方法によると、取り入れ時に牡蠣に付着したセメントをハンマー等で叩いて取り外す必要があり手間である。
【００１２】
また、上記特許文献２に示される牡蠣養殖用ホルダーは、牡蠣を挟持したうえで、ロープやネットに係止するものであり、簡単な作業で牡蠣を係止することが可能とり有益なものである。但し、想定外の荒波や衝撃等で牡蠣が海中に落下してしまう恐れがある。
【００１３】
そこで本考案は、養殖かごやセメント系接着剤、牡蠣を挟持するホルダーを利用する際の上記課題を解決可能であり、簡単に身入りの良い牡蠣を養殖可能な牡蠣養殖用ホルダーを提供することを目的とする。
【課題を解決するための手段】
【００１４】
上記課題を解決する本考案は以下のように構成される。
【００１５】
（１）  請求項１に記載の牡蠣養殖用ホルダーは、金属製或いは樹脂製の線材を中央部で折り曲げたこと、当該折り曲げた部位から片側に伸びると共に先端が鋭角状の膨出部を設けたこと、該線材の両端部を略直角に立ち上がる方向に折り曲げることで係止部を設けたことを特徴とする。
【００１６】
（２）  請求項２に記載の牡蠣養殖用ホルダーは、請求項１に記載の考案において、膨出部を、折り曲げた部位から両側に設けたことを特徴とする。
【００１７】
（３）  請求項３に記載の牡蠣養殖用ホルダーは、板材の一方端から、その先端が鋭角状になる膨出部を片側に設けたこと、板材の他端から略直角に立ち上がる棒状の係止部を一対設けたことを特徴とする
（４）  請求項４に記載の牡蠣養殖用ホルダーは、請求項３に記載の考案において、膨出部を両側に設けたことを特徴とする。
【考案の効果】
【００１８】
上記のように構成される本考案が、如何に作用して課題を解決するかを図面を参照しながら概説する。
【００１９】
牡蠣は自らセメント質を生成し、殻を形成しながら成長していく。この成長段階で障害物などに接したときは、セメント質で障害物を巻き込みながら成長する。
【００２０】
本考案は牡蠣のこの性質を利用するものであり、具体的には牡蠣養殖用ホルダーと牡蠣を一体化させることで上記課題を解決するものである。以下、詳述する。
【００２１】
本考案に係る牡蠣養殖用ホルダーは、牡蠣が稚貝から親牡蠣に成長する期間の一時期に図４や図９に示すように牡蠣養殖用ホルダー１００や牡蠣養殖用ホルダー４００のそれぞれの一対の係止部１０２，３０４で牡蠣１を係止するものである。
【００２２】
かかる状態で一定期間、おおむね３〜４か月程度養殖を続けると、図５や図１０に示すように牡蠣１が係止部１０２，３０４をセメント質で巻き込み、牡蠣養殖用ホルダー１００，４００と牡蠣１が一体化する。
【００２３】
かようにして本考案に係る牡蠣養殖用ホルダーと一体化した牡蠣を、牡蠣養殖用に汎用されている粗目のロープや養殖かご、ネット等に、膨出部をひっかけることで吊るして出荷時期まで養殖を続けるものである。
【００２４】
本考案に係る牡蠣養殖用ホルダーを用いた上記の養殖方法によれば、養殖かごの中で養殖を行う必要はないことから、当然従来の養殖かごを用いた養殖法の場合に生じる不都合を受けることはない。
【００２５】
また、上述のセメント系接着剤を用いてロープに牡蠣を固着する方法のように、牡蠣に付着したセメントを剥ぎ取る作業も不要となる。むろん本考案によっても、牡蠣養殖用ホルダーから牡蠣と取り外す作業は必要となるが、牡蠣から係止部を引き抜くだけの簡単な作業で取り外すことが可能なものである。
【００２６】
また、本考案では牡蠣と牡蠣養殖用ホルダーとが一体化しているので、特許文献２に記載される牡蠣養殖用ホルダーのように、養殖工程で牡蠣養殖用ホルダーから牡蠣が外れてしまう恐れもない。
【００２７】
更には本考案に係る牡蠣養殖用ホルダーによれば、収穫時における作業を容易化できるという利点もある。すなわち、回転式のコンベアに膨出部をひっかけ、牡蠣養殖用ホルダーごと高圧洗浄や、殻の研磨、牡蠣の重量測定、CTスキャンでの中身の確認作業等を行うことが可能となるものである。
【図面の簡単な説明】
【００２８】
【図１】請求項１記載の考案の正面図
【図２】同、斜視図
【図３】請求項２記載の考案の正面図
【図４】請求項１記載の考案の使用状態を示す説明図
【図５】請求項１記載の考案の使用状態を示す説明図
【図６】請求項３記載の考案の正面図
【図７】請求項４記載の考案の正面図
【図８】請求項４記載の考案の斜視図
【図９】請求項４記載の考案の使用状態を示す説明図
【図１０】請求項４記載の考案の使用状態を示す説明図
【考案を実施するための形態】
【００２９】
一、   以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。なお、各図におけるＵとは上方を、Ｄは下方を、Ｒは右方向を、Ｌは左方向を意味するものである。
【００３０】
二、  図１や図２に示すように請求項１に記載の牡蠣養殖用ホルダー１００は、線材を中央部１０１で折り曲げると共に、該線材の両端部１０３，１０３を略直角に立ち上がる方向に折り曲げて係止部１０２を形成してある。
【００３１】
また、中央部１０１で折り曲げた部位から片側に伸びるとともに先端が鋭角状の膨出部１０４が設けられている。
【００３２】
なお、本考案に係る牡蠣養殖用ホルダーに用いられる上記線材は、海水により腐食しない素材である必要があることはむろんである。
【００３３】
請求項２に記載の牡蠣養殖用ホルダー２００は、図３に示すように先端が鋭角状の膨出部２０１を、中央部１０１で折り曲げた部位から両側に設けてある。なお、膨出部２０１以外は請求項１に記載の考案と同一であるため、図３では同一の符号を用いてある。
【００３４】
請求項３に記載の牡蠣養殖用ホルダー３００は、図６に示すように板材３０１の一方端の部位３０２から、その先端が鋭角状になる膨出部３０３を片側に設けると共に、板材３０１の他端から略直角に立ち上がる棒状の係止部３０４を一対設けてある。
【００３５】
板材３０１の素材は海水により腐食しない金属、あるいは樹脂を使用可能である。
【００３６】
請求項４に記載の牡蠣養殖用ホルダー４００は、図７や図８に示すように先端が鋭角状の膨出部４０１を、板材３０１の一方端の部位３０２から、両側に設けてある。なお、膨出部４０１以外は請求項３に記載の考案と同一であるため、図７や図８では同一の符号を用いてある。
【符号の説明】
【００３７】
１００・・牡蠣養殖用ホルダー
１０１・・中央部
１０２・・係止部
１０３・・両端部
１０４・・膨出部
２００・・牡蠣養殖用ホルダー
２０１・・膨出部
３００・・牡蠣養殖用ホルダー
３０１・・板材
３０２・・一方端部
３０３・・膨出部
３０４・・係止部
４００・・牡蠣養殖用ホルダー
４０１・・膨出部
【図１】
0003234567.tif 000003
【図２】
0003234567.tif 000004
【図３】
0003234567.tif 000005
【図４】
0003234567.tif 000006
【図５】
0003234567.tif 000007
【図６】
0003234567.tif 000008
【図７】
0003234567.tif 000009
【図８】
0003234567.tif 000010
【図９】
0003234567.tif 000011
【図１０】
0003234567.tif 000012